(57)【要約】      （修正有）【課題】常圧よりも高圧な状態を維持したまま所定圧、気圧を下げることで、高圧下でのトレーニング条件をきめ細かく設定可能な高圧ルームを提供する。【解決手段】居住空間を形成するチャンバ１０と、チャンバ内１０ａの気圧を、常圧よりも高圧に維持するための加圧手段である加圧用コンプレッサ２０と、チャンバ内の気圧を、常圧よりも高圧な状態を維持したまま所定圧、気圧を下げるための減圧手段である減圧用コンプレッサ２２とを備えることを特徴とし、加圧手段及び減圧手段が、チャンバ内の気圧を常圧よりも高圧な状態を維持したままで、チャンバ内の気圧を脈動させるための手段であることを特徴とする。【選択図】図１
0003216556.tif 000002
【実用新案登録請求の範囲】
【請求項１】
室内の気圧を常圧より高圧に維持可能な居住空間を有する高圧ルームにおいて、
該居住空間を形成するチャンバと、
該チャンバ内の気圧を、常圧よりも高圧に維持するための加圧手段と、
該チャンバ内の気圧を、常圧よりも高圧な状態を維持したまま所定圧、気圧を下げるための減圧手段とを備えることを特徴とする高圧ルーム。
【請求項２】
前記加圧手段が前記チャンバ外に設けられ、前記減圧手段が該チャンバ内に設けられていることを特徴とする請求項１記載の高圧ルーム。
【請求項３】
前記加圧手段及び前記減圧手段が、前記チャンバ内の気圧を常圧よりも高圧な状態を維持したままで、該チャンバ内の気圧を脈動させるための手段であることを特徴とする請求項１又は請求項２記載の高圧ルーム。
【請求項４】
前記減圧手段が、前記チャンバ内の気圧を常圧になるように、該チャンバ内の空気を該チャンバ外に排出する常圧化手段であることを特徴とする請求項１〜請求項３のいずれかに記載の高圧ルーム。
【考案の詳細な説明】
【技術分野】
【０００１】
本考案は、室内の気圧を常圧より高圧に維持可能な居住空間を有する高圧ルームに関する。
【背景技術】
【０００２】
従来より、室内の気圧を常圧より高圧に設定して高圧酸素治療や高地トレーニングが行われている。例えば、特許文献１の気圧トレーニング装置は、気密可能な気密室と、気密室内に設けられ気密室内の空気を排気して減圧する減圧ポンプ及び、気密室外に設けられ気密室内に空気を給気して加圧する加圧ポンプと、減圧ポンプ及び加圧ポンプを通電制御するポンプ制御手段と、を有し、ポンプ制御手段は、最初にポンプを減圧動作させることで気密室内を減圧状態で一定時間継続させた後、ポンプを加圧動作させることで、気密室内を常圧よりも高い加圧状態で一定時間継続させ、その後減圧状態と加圧状態とを所定間隔で交互に繰り返すようポンプを制御することを特徴としている。
【先行技術文献】
【特許文献】
【０００３】
【特許文献１】特開２０１５−３７４４６号公報
【考案の概要】
【考案が解決しようとする課題】
【０００４】
しかしながら、従来の気圧トレーニング装置では、常圧よりも高圧な状態を維持したまま所定圧、気圧を下げる機能を有さず、高圧下でのトレーニング条件の設定には不十分である。
【０００５】
本考案は、このような事情に鑑みてなされたもので、常圧よりも高圧な状態を維持したまま所定圧、気圧を下げることで、高圧下でのトレーニング条件をきめ細かく設定可能な高圧ルームを提供することができる。
【課題を解決するための手段】
【０００６】
請求項１記載の高圧ルームは、居住空間を形成するチャンバと、チャンバ内の気圧を、常圧よりも高圧に維持するための加圧手段と、チャンバ内の気圧を、常圧よりも高圧な状態を維持したまま所定圧、気圧を下げるための減圧手段とを備えることを特徴とする。
【０００７】
請求項２記載の高圧ルームは、加圧手段がチャンバ外に設けられ、減圧手段がチャンバ内に設けられていることを特徴とする。
【０００８】
請求項３記載の高圧ルームは、加圧手段及び減圧手段が、チャンバ内の気圧を常圧よりも高圧な状態を維持したままで、チャンバ内の気圧を脈動させるための手段であることを特徴とする。
【０００９】
請求項４記載の高圧ルームは、減圧手段が、チャンバ内の気圧を常圧になるように、チャンバ内の空気をチャンバ外に排出する常圧化手段であることを特徴とする。
【考案の効果】
【００１０】
本願考案の高圧ルームによれば、常圧よりも高圧な状態を維持したまま所定圧、気圧を下げる減圧手段を設けることで、高圧下でのトレーニング条件をきめ細かく設定可能である。
【図面の簡単な説明】
【００１１】
【図１】本考案に係る高圧ルームの構成の一例を示す説明図である。
【図２】同高圧ルームの動作の一例を示す説明図である。
【図３】同高圧ルームの動作の他の例を示す説明図である。
【考案を実施するための形態】
【００１２】
以下、本考案の形態について図面を参照しながら具体的に説明する。図１は、本考案に係る高圧ルームの構成の一例を示す説明図である。図２は、同高圧ルームの動作の一例を示す説明図である。図３は、同高圧ルームの動作の他の例を示す説明図である。
【００１３】
図における高圧ルーム１は、居住空間であり室内であるチャンバ内１０ａの気圧を常圧より高圧に維持可能なものである。居住空間を形成するチャンバ１０と、チャンバ内１０ａの気圧を上げるための加圧手段である加圧用コンプレッサ２０と、チャンバ内１０ａの気圧を、常圧よりも高圧な状態を維持したまま所定圧、気圧を下げることを基本的な動作とし、常圧に戻す場合には常圧に向かってチャンバ内１０ａの気圧を下げるための減圧手段である減圧用コンプレッサ２２とを備えている。また、チャンバ内１０ａの気圧をモニタするための圧力計３０も備えている。尚、高圧としては、１．５気圧程度までである。
【００１４】
チャンバ１０は、人の身体が完全に収まる大きさで、単に横たわって入ることができる大きさから、部屋状の大きさだったり座ったりすることができる大きさや、複数人が入ることができる大きさまで、様々である。そして、チャンバ１０は、図示しない出入口があり、チャンバ１０を閉じた状態では、チャンバ内１０ａは密閉空間になるような構造である。
【００１５】
加圧用コンプレッサ２０は、チャンバ内１０ａの気圧を上げるための加圧手段であり、チャンバ１０の外側又は内側に配置され（図１は外側の例）、チャンバ内１０ａと連通している。加圧用コンプレッサ２０は、加圧手段の一例であり、ポンプ等の他の手段であってもかまわない。
【００１６】
減圧用コンプレッサ２２は、チャンバ内１０ａの気圧を、常圧よりも高圧な状態を維持したまま所定圧、気圧を下げることを基本的な動作とし、常圧に戻す場合には常圧に向かってチャンバ内１０ａの気圧を下げるための減圧手段であり、チャンバ１０内に配置され、チャンバ内１０ａの空気を押し出すものである。図１は、減圧用コンプレッサ２２が、チャンバ内１０ａに配置された例であるが、チャンバ１０の外側に設け、チャンバ内１０ａの空気を吸い出すものであってもよい。減圧用コンプレッサ２２は、減圧手段の一例であり、ポンプ等の他の手段であってもかまわない。
【００１７】
尚、図示してはいないが、チャンバ内１０ａの気圧の調整のために、各種の弁構造を設けるようにしてもよい。
【００１８】
次に、本実施の形態における高圧ルーム１の動作の一例を説明する（図２参照）。まず、加圧手段である加圧用コンプレッサ２０を動作させて、チャンバ内１０ａの気圧を、所望の気圧だけ高くするようにする。そして、図２に示すように所定間隔でチャンバ内１０ａの気圧を、常圧よりも高圧な状態を維持したまま所定圧、気圧を下げたい場合には、加圧用コンプレッサ２０の出力を調整しつつ、減圧手段である減圧用コンプレッサ２２を動作させて、気圧を下げるようにする。そして、チャンバ内１０ａの気圧を脈動させたい場合には、図２にあるように、減圧用コンプレッサ２２と加圧用コンプレッサ２０を動作させるようにする。そして、最終的に、チャンバ内１０ａを通常の気圧状態（常圧状態）にする時は、加圧用コンプレッサ２０の動作を止めて、減圧用コンプレッサ２２を動作させるようにし、必要に応じて、図示しない弁構造を開放するようにしてもよい。
【００１９】
尚、気圧を脈動させない例は、図３に示す例で、まず、加圧手段である加圧用コンプレッサ２０を動作させて、チャンバ内１０ａの気圧を、所望の気圧だけ高くするようにする。そして、加圧用コンプレッサ２０及び減圧用コンプレッサ２２をバランス良く動作させるようにし、必要に応じて図示しない弁構造を動作させて、気圧を維持させる。そして、チャンバ内１０ａの気圧を下げて常圧に戻す場合には、加圧用コンプレッサ２０の動作を止めて、減圧用コンプレッサ２２を動作させて、チャンバ内１０ａの空気をチャンバ１０の外に押し出す（又は抜き出す）ようにする。尚、図示しない弁構造を開放して高圧になった空気をチャンバ１０の外に出すようにしてもよい。
【００２０】
尚、チャンバ内１０ａが高圧の状態で、単に弁構造を開放して通常の気圧状態に戻そうとしても、チャンバ内１０ａの気圧が通常の気圧状態（常圧状態）に近づくと、単に弁構造を開放しただけでは、チャンバ内１０ａの気圧が下がりきらない状況が発生してしまう。このような場合には、減圧用コンプレッサ２２を動作させ、チャンバ内１０ａの空気を積極的に追い出す（排出）ようにして、チャンバ内１０ａの気圧を通常の気圧状態にするようにすればよい。すなわち、減圧手段である減圧用コンプレッサ２２を、常圧化手段として用いるわけである。
【００２１】
以上のような構造の本実施の形態に係る高圧ルーム１によれば、常圧よりも高圧な状態を維持したまま所定圧、気圧を下げることで、高圧下でのトレーニング条件をきめ細かく設定可能である。
【産業上の利用可能性】
【００２２】
本考案により、常圧よりも高圧な状態を維持したまま所定圧、気圧を下げることで、高圧下でのトレーニング条件をきめ細かく設定可能な高圧ルームを提供することができる。
【符号の説明】
【００２３】
１・・・・・高圧ルーム
１０・・・・チャンバ
１０ａ・・・チャンバ内
２０・・・・加圧用コンプレッサ
２２・・・・減圧用コンプレッサ
３０・・・・圧力計
【図１】
0003216556.tif 000003
【図２】
0003216556.tif 000004
【図３】
0003216556.tif 000005